(57)【要約】【課題】  歯列模型の模型歯牙を適切な位置に簡単に配置することができ、しかも、歯列矯正に要する費用を低減させ得る模型歯牙位置調節具を提供すること。【解決手段】  模型歯牙位置調節具１は、患者の歯列に基づいて製作された歯列模型２の弓状の歯列の一部に沿って伸びた位置調節具本体４と、位置調節具本体４に設けられていると共に歯列模型２の模型歯牙５の歯面８に当接する歯牙当接部７とを具備しており、歯牙当接部７は、維持対象歯牙の歯面８に対して相補的な形状を有している維持対象歯牙相補面２１から２４と、調節対象歯牙の歯面８に対して相補的な形状を有していると共に、調節対象歯牙の歯面８に対して隙間２５をもって配される調節対象歯牙相補面２６とを具備している。【選択図】  図１
2006255128.tif 000002
【特許請求の範囲】
【請求項１】
歯列模型の歯列の全部又は一部に沿って伸びた位置調節具本体と、この位置調節具本体に設けられていると共に歯列模型の少なくとも二歯の模型歯牙の歯面に当接する歯牙当接部とを具備しており、歯牙当接部は、前記模型歯牙のうちの現在の位置が維持されるべき維持対象歯牙の歯面に対して相補的な形状を有している維持対象歯牙相補面と、前記模型歯牙のうちの位置が調節されるべき調節対象歯牙の歯面に対して相補的な形状を有していると共に、維持対象歯牙相補面が維持対象歯牙の歯面に当接した場合には調節対象歯牙の歯面に対して隙間をもって配される調節対象歯牙相補面とを具備している模型歯牙位置調節具。
【請求項２】
調節対象歯牙相補面は、調節対象歯牙の咬合面を除く歯面に対して相補的な形状の部位と、調節対象歯牙を調節対象歯牙相補面の前記部位に向かって案内することができるように調節対象歯牙の咬合面の隆起している隆起部に滑動自在に当接する部位とを具備している請求項１に記載の模型歯牙位置調節具。
【請求項３】
維持対象歯牙相補面は、維持対象歯牙の咬合面を除く歯面に対して相補的な形状の部位と、維持対象歯牙の咬合面に対して相補的な形状を有していると共に、維持対象歯牙相補面の前記部位が維持対象歯牙の咬合面を除く歯面に当接した場合には維持対象歯牙の咬合面に当接する部位とを具備している請求項１又は２に記載の模型歯牙位置調節具。
【請求項４】
維持対象歯牙相補面は、調節対象歯牙に隣接した維持対象歯牙の歯面に当接するように配されている請求項１から３のいずれか一項に記載の模型歯牙位置調節具。
【請求項５】
歯牙当接部は、他の維持対象歯牙の歯面に対して相補的な形状を有していると共に、維持対象歯牙相補面との間に調節対象歯牙相補面が介在されるように配された他の維持対象歯牙相補面を更に具備している請求項１から４のいずれか一項に記載の模型歯牙位置調節具。
【請求項６】
調節対象歯牙相補面は、調節対象歯牙の頬側面、舌側面、近心面、遠心面及び咬合面のうちの少なくとも一つの面に対して相補的な形状を有しており、維持対象歯牙相補面は、維持対象歯牙の頬側面、舌側面、近心面、遠心面及び咬合面のうちの少なくとも一つの面に対して相補的な形状を有している請求項１から５のいずれか一項に記載の模型歯牙位置調節具。
【発明の詳細な説明】
【技術分野】
【０００１】
歯列矯正の各矯正段階に応じた形状の合成樹脂製（エチレンビニルアセテート（ＥＶＡ）製、セルロースアセトブチレート製等を含む）のマウスピース等を作製するための歯列模型の模型歯牙（切歯、臼歯等の模型を意味する。以下同じ）の位置調節に用いられる模型歯牙位置調節具に関する。
【背景技術】
【０００２】
【特許文献１】実開平６−６６６４３号公報
【０００３】
例えば特許文献１においては、少なくとも一歯の模型歯牙の位置を調節することができる歯列模型が提案されている。斯かる歯列模型では、模型歯牙の位置を適宜調節することにより歯列矯正における患者の理想的な歯列形状を形成し得る。
【発明の開示】
【発明が解決しようとする課題】
【０００４】
ところで、斯かる歯列模型の模型歯牙の位置を調節する場合には、位置調節後に配されるべき模型歯牙の位置が確定していないために、当該模型歯牙を適切な位置に配置することが困難である。また、三次元的な歯列画像データに基づくＮＣ加工機械の作動により歯列模型自体を製作することもできるが、斯かる場合には、歯列矯正の各矯正段階毎に歯列模型を製作しなければならないために、歯列矯正に要する費用を低減させることが困難である。
【０００５】
本発明は、前記諸点に鑑みてなされたものであり、その目的とするところは、歯列模型の模型歯牙を適切な位置に簡単に配置することができ、しかも、歯列矯正に要する費用を低減させ得る模型歯牙位置調節具を提供することにある。
【課題を解決するための手段】
【０００６】
本発明の模型歯牙位置調節具は、歯列模型の歯列の全部又は一部に沿って伸びた位置調節具本体と、この位置調節具本体に設けられていると共に歯列模型の少なくとも二歯の模型歯牙の歯面に当接する歯牙当接部とを具備しており、歯牙当接部は、前記模型歯牙のうちの現在の位置が維持されるべき維持対象歯牙の歯面に対して相補的な形状を有している維持対象歯牙相補面と、前記模型歯牙のうちの位置が調節されるべき調節対象歯牙の歯面に対して相補的な形状を有していると共に、維持対象歯牙相補面が維持対象歯牙の歯面に当接した場合には調節対象歯牙の歯面に対して隙間をもって配される調節対象歯牙相補面とを具備している。
【０００７】
本発明の模型歯牙位置調節具によれば、特に、歯牙当接部は、前記模型歯牙のうちの現在の位置が維持されるべき維持対象歯牙の歯面に対して相補的な形状を有している維持対象歯牙相補面と、前記模型歯牙のうちの位置が調節されるべき調節対象歯牙の歯面に対して相補的な形状を有していると共に、維持対象歯牙相補面が維持対象歯牙の歯面に当接した場合には調節対象歯牙の歯面に対して隙間をもって配される調節対象歯牙相補面とを具備しているために、主に調節対象相補面の存在によって位置調節後に配されるべき模型歯牙の位置を確定することができ、調節対象歯牙を調節対象歯牙相補面に向かって移動させることにより、調節対象歯牙の歯面と調節対象歯牙相補面とを前記隙間がなくなるように簡単に当接させることができ、歯列模型の模型歯牙を適切な位置に簡単に配置することができ、しかも、歯列矯正に要する費用を低減させ得る。
【０００８】
本発明の模型歯牙位置調節具の好ましい例では、調節対象歯牙相補面は、調節対象歯牙の咬合面を除く歯面に対して相補的な形状の部位と、調節対象歯牙を調節対象歯牙相補面の前記部位に向かって案内することができるように調節対象歯牙の咬合面の隆起している隆起部に滑動自在に当接する部位とを具備している。このような好ましい例によれば、模型歯牙の位置をより簡単に且つ正確に調節し得る。
【０００９】
本発明の模型歯牙位置調節具の好ましい例では、維持対象歯牙相補面は、維持対象歯牙の咬合面を除く歯面に対して相補的な形状の部位と、維持対象歯牙の咬合面に対して相補的な形状を有していると共に、維持対象歯牙相補面の前記部位が維持対象歯牙の咬合面を除く歯面に当接した場合には維持対象歯牙の咬合面に当接する部位とを具備している。このような好ましい例によれば、模型歯牙の位置をより簡単に且つ正確に調節し得る。
【００１０】
本発明の模型歯牙位置調節具の好ましい例では、維持対象歯牙相補面は、調節対象歯牙に隣接した維持対象歯牙の歯面に当接するように配されている。このような好ましい例によれば、模型歯牙位置調節具自体の小型化を図り得て、模型歯牙位置調節具の製作に要する費用を低減させ得る。
【００１１】
本発明の模型歯牙位置調節具の好ましい例では、歯牙当接部は、他の維持対象歯牙の歯面に対して相補的な形状を有していると共に、維持対象歯牙相補面との間に調節対象歯牙相補面が介在されるように配された他の維持対象歯牙相補面を更に具備している。このような好ましい例によれば、歯牙当接部の模型歯牙に対する不測の位置ずれをなくし得る。
【００１２】
本発明の模型歯牙位置調節具の好ましい例では、調節対象歯牙相補面は、調節対象歯牙の頬側面、舌側面、近心面、遠心面及び咬合面のうちの少なくとも一つの面に対して相補的な形状を有しており、維持対象歯牙相補面は、維持対象歯牙の頬側面、舌側面、近心面、遠心面及び咬合面のうちの少なくとも一つの面に対して相補的な形状を有している。
【発明の効果】
【００１３】
本発明によれば、歯列模型の模型歯牙を適切な位置に簡単に配置することができ、しかも、歯列矯正に要する費用を低減させ得る模型歯牙位置調節具を提供し得る。
【発明を実施するための最良の形態】
【００１４】
次に、本発明の実施の形態の例を、図に示す例に基づいて更に詳細に説明する。尚、本発明はこれらの例に何等限定されないのである。
【実施例】
【００１５】
図１から図６において、本例の模型歯牙位置調節具１は、患者の歯列に基づいて製作された歯列模型２の弓状の歯列の一部に沿って伸びた位置調節具本体４と、位置調節具本体４に設けられていると共に歯列模型２の模型歯牙５の歯面８に当接する歯牙当接部７とを具備している。
【００１６】
歯列模型２は、特に図２に示すように、鋸等を用いて夫々互いに切り離された上述の模型歯牙５と、模型歯牙５の夫々の位置を保持しているワックス等からなる熱軟化性（熱可塑性）の模型歯肉１１とを具備しており、台座１２上に設置されている。石膏等からなる模型歯牙５の夫々は、歯列模型２の歯列に沿って並んでいる。模型歯牙５の夫々は、模型歯肉１１によって不動の状態とされているが、当該模型歯肉１１を加熱して軟化させることによって相互に移動可能な状態にすることができる。斯かる歯列模型２は、歯列矯正用のマウスピースの基礎型等として用いられ得る。図２に示す正中線３０よりも一方側に位置する模型歯牙５としては、患者の中切歯、側切歯、犬歯、第一及び第二小臼歯並びに第一から第三大臼歯を夫々模して製作された模型中切歯５ａ、模型側切歯５ｂ、模型犬歯５ｃ、模型小臼歯５ｄ及び５ｅ並びに模型大臼歯５ｆ、５ｇ及び５ｈが挙げられる。尚、正中線３０よりも他方側に位置する模型歯牙５も前記一方側と同様であるので、当該他方側に位置する模型歯牙５についての詳細な説明を省略する。
【００１７】
本例の位置調節具本体４は、歯列模型２の歯列に沿って模型犬歯５ｃから模型大臼歯５ｇまで伸びている。位置調節具本体４は、透明、半透明であってもよく、斯かる場合には、模型歯牙５の位置を位置調節具本体４を介して容易に視認することができる。また、位置調節具本体４は、木材、樹脂（合成樹脂及び天然樹脂を含む）、鉄（アルミ等を含む）等から形成されていてもよいが、好ましくは、ＮＣ加工機械による加工が容易な材質から形成される。
【００１８】
歯牙当接部７は、現在の位置が維持されるべき維持対象歯牙としての模型犬歯５ｃの頬側面６に対して相補的な形状を有している維持対象歯牙相補面２１と、現在の位置が維持されるべき維持対象歯牙としての模型小臼歯５ｄの頬側面６に対して相補的な形状を有している維持対象歯牙相補面２２と、現在の位置が維持されるべき維持対象歯牙としての模型大臼歯５ｆの頬側面６に対して相補的な形状を有している維持対象歯牙相補面２３と、現在の位置が維持されるべき維持対象歯牙としての模型大臼歯５ｇの頬側面６に対して相補的な形状を有している維持対象歯牙相補面２４と、歯列矯正との関係において段階的に位置が調節されるべき調節対象歯牙としての模型小臼歯５ｅの頬側面６に対して相補的な形状を有していると共に、維持対象歯牙相補面２１から２４が模型犬歯５ｃ、模型小臼歯５ｄ並びに模型大臼歯５ｆ及び５ｇの頬側面６に夫々当接した場合には、模型小臼歯５ｅの頬側面６に対して隙間２５をもって配される調節対象歯牙相補面２６とを具備している。隙間２５の幅は、歯列矯正との関係で設定され、例えば２ｍｍ、１ｍｍ、０．５ｍｍであってもよい。
【００１９】
維持対象歯牙相補面２１は、模型小臼歯５ｄに隣接した模型犬歯５ｃの頬側面６に当接するように位置調節具本体４に形成されている。維持対象歯牙相補面２２は、模型小臼歯５ｅに隣接した模型小臼歯５ｄの頬側面６に当接するように位置調節具本体４に形成されている。維持対象歯牙相補面２３は、模型小臼歯５ｅに隣接した模型大臼歯５ｆの頬側面６に当接するように位置調節具本体４に形成されている。維持対象歯牙相補面２４は、模型大臼歯５ｆに隣接した模型大臼歯５ｇの頬側面６に当接するように位置調節具本体４に形成されている。維持対象歯牙相補面２１及び２２と維持対象歯牙相補面２３及び２４との間には、調節対象歯牙相補面２６が介在されている。
【００２０】
維持対象歯牙相補面２４は、例えば図６の（ａ）に示すように、模型大臼歯５ｇの頬側面６に対して相補的な形状の部位３１を具備しており、斯かる部位３１で模型大臼歯５ｇの頬側面６に密接するようになっている。維持対象歯牙相補面２４は、部位３１に加えて、例えば図６の（ｂ）に示すように、模型大臼歯５ｇの咬合面３２の一部（頬側の部分）に対して相補的な形状を有している部位３３を具備し、部位３１の頬側面６への密接と共に部位３３が咬合面３２の一部に密接されるようになっていてもよい。維持対象歯牙相補面２１から２３もまた、維持対象歯牙相補面２４と同様に、模型犬歯５ｃ、模型小臼歯５ｄ、模型大臼歯５ｆに夫々密接されるようになっていてもよい。
【００２１】
調節対象歯牙相補面２６は、例えば図５の（ａ）及び（ｂ）に示すように、模型小臼歯５ｅの頬側面６に対して相補的な形状の部位３５と、模型小臼歯５ｅの頬側面６を部位３５に向かって案内することができるように模型小臼歯５ｅの咬合面３２の隆起している隆起部３６に滑動自在に当接する部位３７とを具備している。
【００２２】
本例の模型歯牙位置調節具１の歯牙当接部７は、例えば、歯列矯正に関して各矯正段階における理想的な歯列形状のデータを含む三次元的な歯列画像データに基づいて作動するＮＣ加工機械（フライス盤、旋盤、光硬化樹脂・粉末樹脂を使った造形機、溶融樹脂をノズル先端から出す造形機等）によって製作されてもよい。
【００２３】
以上の模型歯牙位置調節具１を歯列模型２の模型歯牙５の位置調節に用いる場合には、まず、図２に示すように、維持対象歯牙相補面２１から２４を模型犬歯５ｃ、模型小臼歯５ｄ並びに模型大臼歯５ｆ及び５ｇに夫々密接させることで模型歯牙位置調節具１の歯列模型２に対する位置を確定させる。斯かる状態の模型歯牙位置調節具１は、模型犬歯５ｃ、模型小臼歯５ｄ並びに模型大臼歯５ｆ及び５ｇのうちの少なくとも一歯にワックス等により一時的に固定されてもよい。
【００２４】
次に、模型歯肉１１の模型小臼歯５ｅを保持している部分１１ａに熱軟化を生じさせて模型小臼歯５ｅが当該模型小臼歯５ｅ以外の模型歯牙５に対して移動可能な状態とし、その後、模型小臼歯５ｅを当該模型小臼歯５ｅよりも頬側に位置する調節対象歯牙相補面２６に向かってＡ方向に押圧して移動させることで、模型小臼歯５ｅの頬側面６と調節対象歯牙相補面２６とを図４及び図５の（ｂ）に示すように密接させる。尚、頬側面６で調節対象歯牙相補面２６に密接した模型小臼歯５ｅの位置は、模型歯肉１１の硬化によって保持される。このようにして、模型歯牙位置調節具１は、模型歯牙５の位置調節に用いられる。
【００２５】
本例の模型歯牙位置調節具１によれば、歯列模型２の歯列の一部に沿って伸びた位置調節具本体４と、位置調節具本体４に設けられていると共に歯列模型２の模型歯牙５の歯面８に当接する歯牙当接部７とを具備しており、歯牙当接部７は、前記模型歯牙５のうちの現在の位置が維持されるべき維持対象歯牙としての模型犬歯５ｃ、模型小臼歯５ｄ並びに模型大臼歯５ｆ及び５ｇの夫々の歯面８に対して相補的な形状を有している維持対象歯牙相補面２１から２４と、前記模型歯牙５のうちの位置が調節されるべき調節対象歯牙としての模型小臼歯５ｅの歯面８に対して相補的な形状を有していると共に、維持対象歯牙相補面２１から２４が模型犬歯５ｃ、模型小臼歯５ｄ並びに模型大臼歯５ｆ及び５ｇの歯面８に夫々当接した場合には模型小臼歯５ｅの歯面８に対して隙間２５をもって配される調節対象歯牙相補面２６とを具備しているために、調節対象歯牙相補面２６の存在により位置調節後に配されるべき模型歯牙５の位置を確定することができ、模型小臼歯５ｅを調節対象歯牙相補面２６に向かって押圧して移動させることにより、模型小臼歯５ｅの歯面８と調節対象歯牙相補面２６とを図４及び図５の（ｂ）に示すように隙間２５がなくなるように簡単に当接させることができ、而して、歯列模型２の模型歯牙５を適切な位置に簡単に配置することができ、しかも、複数の歯列模型を製作する必要をなくすことができて、歯列矯正に要する費用を低減させ得る。
【００２６】
模型歯牙位置調節具１によれば、調節対象歯牙相補面２６は、模型小臼歯５ｅの咬合面３２を除く歯面８に対して相補的な形状の部位３５と、模型小臼歯５ｅを部位３５に向かって案内することができるように模型小臼歯５ｅの咬合面３２の隆起している隆起部３６に滑動自在に当接する部位３７とを具備しているために、模型歯牙５の位置をより簡単に且つ正確に調節し得る。
【００２７】
模型歯牙位置調節具１によれば、維持対象歯牙相補面２１から２４は、模型犬歯５ｃ、模型小臼歯５ｄ並びに模型大臼歯５ｆ及び５ｇの咬合面３２を除く歯面８に対して相補的な形状の部位３１と、模型犬歯５ｃ、模型小臼歯５ｄ並びに模型大臼歯５ｆ及び５ｇの咬合面３２に対して相補的な形状を有していると共に、部位３１が模型犬歯５ｃ、模型小臼歯５ｄ並びに模型大臼歯５ｆ及び５ｇの咬合面３２を除く歯面８に当接した場合には模型犬歯５ｃ、模型小臼歯５ｄ並びに模型大臼歯５ｆ及び５ｇの咬合面３２に当接する部位３３とを具備しているために、模型犬歯５ｃ、模型小臼歯５ｄ並びに模型大臼歯５ｆ及び５ｇと維持対象歯牙相補面２１から２４との当接面積を増大させることができ、而して、模型歯牙５の位置をより簡単に且つ正確に調節し得る。
【００２８】
模型歯牙位置調節具１によれば、維持対象歯牙相補面２２及び２３は、模型小臼歯５ｅに隣接した模型小臼歯５ｄ及び模型大臼歯５ｆの歯面８に夫々当接するように配されているために、模型歯牙位置調節具１自体の小型化を図り得て、模型歯牙位置調節具１の製作に要する費用を低減させ得る。
【００２９】
模型歯牙位置調節具１によれば、歯牙当接部７は、模型大臼歯５ｆ及び５ｇの歯面８に対して相補的な形状を有していると共に、維持対象歯牙相補面２１及び２２との間に調節対象歯牙相補面２６が介在されるように配された維持対象歯牙相補面２３及び２４を具備しているために、歯牙当接部７の模型歯牙５に対する不測の位置ずれをなくし得る。
【００３０】
尚、模型歯牙位置調節具１は、歯列模型２の歯列の一部に沿って伸びた位置調節具本体４に代えて、歯列模型２の歯列の全部に沿って伸びた位置調節具本体（図示せず）を具備していてもよい。また、模型歯牙位置調節具１は、歯牙当接部７に代えて、例えば図７に示すように、維持対象歯牙としての模型歯牙５の舌側面２０に対して相補的な形状を有した維持対象歯牙相補面５１及び調節対象歯牙としての模型歯牙５の舌側面２０に対して相補的な形状を有していると共に、維持対象歯牙相補面５１が維持対象歯牙としての模型歯牙５の舌側面２０に当接した場合には調節対象歯牙としての模型歯牙５の舌側面２０に対して隙間２５をもって配される調節対象歯牙相補面５２とを具備した歯牙当接部５３を具備していてもよく、斯かる場合には、調節対象歯牙としての模型歯牙５を当該模型歯牙５よりも舌側に位置する調節対象歯牙相補面５２に向かって押しつけて移動させることにより、当該模型歯牙５の舌側面２０と調節対象歯牙相補面５２とを隙間２５がなくなるように簡単に当接させることができる。更にまた、模型歯牙位置調節具１は、調節対象歯牙相補面２６並びに維持対象歯牙相補面２１から２４に代えて、調節対象歯牙の頬側面６、舌側面２０、近心面、遠心面及び咬合面３２のうちの少なくとも一つの面に対して相補的な形状を有している調節対象歯牙相補面と、維持対象歯牙の頬側面６、舌側面２０、近心面、遠心面及び咬合面３２のうちの少なくとも一つの面に対して相補的な形状を有している維持対象歯牙相補面とを具備していてもよい。
【図面の簡単な説明】
【００３１】
【図１】本発明の実施の形態の例の斜視説明図である。
【図２】図１に示す例の使用断面説明図である。
【図３】図２に示す例の舌側面からみた断面説明図である。
【図４】図１に示す例の使用断面説明図である。
【図５】（ａ）及び（ｂ）は、図１に示す例の調節対象歯牙相補面と調節対象歯牙との位置に関する説明図である。
【図６】（ａ）は、図１に示す例の維持対象歯牙相補面と維持対象歯牙との位置に関する断面説明図であり、（ｂ）は、図１に示す例の他の維持対象歯牙相補面と維持対象歯牙との位置に関する説明図である。
【図７】本発明の実施の形態の他の例の使用断面説明図である。
【符号の説明】
【００３２】
１  模型歯牙位置調節具
２  歯列模型
４  位置調節具本体
５  模型歯牙
６  頬側面
７、５３  歯牙当接部
８  歯面
２０  舌側面
２１、２２、２３、２４、５１  維持対象歯牙相補面
２５  隙間
２６、５２  調節対象歯牙相補面
【図１】
2006255128.tif 000003
【図２】
2006255128.tif 000004
【図３】
2006255128.tif 000005
【図４】
2006255128.tif 000006
【図５】
2006255128.tif 000007
【図６】
2006255128.tif 000008
【図７】
2006255128.tif 000009